(57)【要約】      （修正有）【課題】既存建築物の柱外周面に設置され、広告効果を増進させることのできる広告板を提供する。【解決手段】柱の下部の外周面をバンド型で取り囲み、上部が、幅が一定の旋盤部をなし、柱の外周面を一定の厚さと幅とで取り囲む形態からなり、旋盤部に固定されて支持され、カバーフレーム２０と、透視窓２２の内側に柱の外周面と平行するように配置され、広告内容が表示された円筒形の表示板３１と前記表示板の上下段部に各々固定されたリング状のレール３２とを備える回転体３０と、カバーフレームの一側に隣接して備えられ、回転体を回転させるための回転力を提供する駆動手段４０と、カバーフレームの内部に備えられ、一端がカバーフレームに固定され、回転体を回転可能に支持する回転体支持手段５０と、駆動手段から伝達された回転力により回転体のレールを回転させる回転手段とを含む回転式広告板を提供する。【選択図】図３
2005134530.tif 000002
【特許請求の範囲】
【請求項１】
円筒形柱の下部の外周面をバンド型で取り囲み、上部が、幅が一定の旋盤部をなし、前記柱に固着されて前記旋盤部上の一定の荷重を支持できるようにする支持手段と、
前記柱の外周面を一定の厚さと幅とで取り囲む形態からなり、前記旋盤部に固定されて支持され、その外周面に透視窓が形成されたカバーフレームと、
前記透視窓の内側に前記柱の外周面と平行するように配置され、広告内容が表示された円筒形の表示板と前記表示板の上・下端部に各々固定されたリング状のレールとを備える回転体と、
前記カバーフレームの一側に隣接して備えられ、前記回転体を回転させるための回転力を提供する駆動手段と、
前記カバーフレームの内部に備えられ、一端が前記カバーフレームに固定され、前記回転体を回転可能に支持する回転体支持手段と、
前記駆動手段から伝達された回転力により前記回転体のレールを回転させる回転手段と
を含むことを特徴とする回転式広告板。
【請求項２】
前記支持手段は、
複数個の円弧型支持部材の側端が左右に隣接した他支持部材の側端と互いに結合してバンド型をなし、その結合力により前記柱の外周面に固着されることを特徴とする請求項1に記載の回転式広告板。
【請求項３】
前記支持手段は、
前記柱と接する面に形成された複数のねじ穴と、
前記ねじ穴を通して前記柱に向けて締め付けられる固定ボルトと
をさらに備えることを特徴とする請求項1に記載の回転式広告板。
【請求項４】
前記カバーフレームは円筒形に加工した金属板材から形成され、前記透視窓は透明な樹脂フィルム、または円筒形樹脂パネルから形成されることを特徴とする請求項1に記載の回転式広告板。
【請求項５】
前記表示板は、前記レールが回転する時に自体の形状を保持できる程度の剛性を有する円筒形樹脂パネルであることを特徴とする請求項1に記載の回転式広告板。
【請求項６】
前記回転体の内側に配置され、前記表示板を介して外部に光を放射するための発光手段をさらに備え、
前記表示板は、前記発光手段の光が通過できるように半透明の円筒形樹脂パネルであることを特徴とする請求項1に記載の回転式広告板。
【請求項７】
前記回転体支持手段は、
前記柱の半径方向に配置され、一端が前記カバーフレームの内周面に固定された複数の支持軸と、
前記各支持軸の他端に回転可能に備えられて、前記レールを支持する支持ローラと
を含むことを特徴とする請求項1に記載の回転式広告板。
【請求項８】
前記駆動手段は、
前記カバーフレームの上側、または下側に隣接するように固定される駆動モータと、
入力軸が前記駆動モータの回転軸に連結され、出力軸が前記回転手段と連結されて、回転力を減速及び増強させて伝達する減速器と
を含むことを特徴とする請求項1に記載の回転式広告板。
【請求項９】
前記回転手段は、
前記駆動手段の出力軸と連結されて回転し、摩擦力により前記回転体のレールを回転させる摩擦車と、
前記回転体を前記摩擦車側に加圧することにより、前記レールと摩擦車との間に所定の摩擦力が確保されるようにする加圧手段と、
を含むことを特徴とする請求項1に記載の回転式広告板。
【請求項１０】
前記加圧手段は、
前記カバーフレームの内部に前記柱の半径方向に配置され、一端が前記カバーフレームの内周面に固定され、他端にはスプリング支持端が形成されたスプリングガイド棒と、
前記スプリングガイド棒によりガイドされ、一端が前記スプリング支持端により支持されるスプリングと、
前記スプリングの他端により前記摩擦車側に加圧される加圧ローラフレームと、
前記加圧ローラフレームに前記摩擦車と平行した軸を中心として回転可能に結合され、前記回転体を前記摩擦車側に加圧して回転する加圧ローラと
を含むことを特徴とする請求項9に記載の回転式広告板。
【請求項１１】
複数個の円弧型支持部材の側端が左右に隣接した他支持部材の側端と互いに結合してバンド型をなし、その結合力により前記柱の外周面に固着され、上部が、幅が一定の旋盤部をなして前記旋盤部上の一定の荷重を支持できるようにする支持手段と、
前記柱の外周面を一定の厚さと幅とで取り囲む形態からなり、前記旋盤部に固定されて支持され、その外周面に透視窓が形成されたカバーフレームと、
前記透視窓の内側に前記柱の外周面と平行するように配置され、上端部及び下端部に各々固定されるリング状のレールと、前記レールが回転する時に自体の形状を保持できる程度の剛性を有する円筒形樹脂パネルとして広告内容が表示された表示板とを備える回転体と、
前記カバーフレームの一側に隣接して備えられ、前記回転体を回転させるための回転力を提供する駆動手段と、
前記カバーフレームの内部に備えられ、一端が前記カバーフレームに固定され、前記回転体のレールを回転可能に支持する回転体支持手段と、
前記駆動手段の出力軸と連結されて回転し、摩擦力により前記回転体のレールを回転させる摩擦車と、前記回転体を前記摩擦車側に加圧することによって前記レールと摩擦車との間に所定の摩擦力が確保されるようにする加圧手段とを備える回転手段と、
を含むことを特徴とする回転式広告板。
【発明の詳細な説明】
【技術分野】
【０００１】
本発明は回転式広告板に関し、特に、建物や地下道などの柱の外周面に設置されて所定の速度で回転しつつ、その周辺を通過する人々により效果的に情報を伝達できる回転式広告板に関する。
【背景技術】
【０００２】
一般に、広告板はその周辺を往来する不特定多数の人々に営利及び非営利を目的とする多様な情報を伝達するためのものであって、人々の往来がある場所ならどこでも多様な種類及びサイズの広告板が設置されている。このような広告板には、平板型部材に塗料を用いて所定の情報を表示したペインティング看板からLEDなどの発光素子を利用して動画像情報を提供する大型電光板に至るまで非常に多種の広告板がある。本発明は前記した多様な種類の広告板に全て適用できるものであって、所定の内容を表示する種々の視覚媒体を備えた表示部を建築物の柱に回転可能に設置し、設置された表示部がモータなどの駆動装置により所定の速度で回転できるようにする。
【０００３】
図1は、従来のランプ内蔵式広告板を示す部分切開斜視図であって、従来の広告板は、図1に示すように、内部に所定の空間が形成された外部フレーム110と、前記外部フレーム110の内部に装着されて所定光度の光を提供する複数の蛍光ランプ130と、前記外部フレーム110の内部に装着されて蛍光ランプ130の光を反射するように前記蛍光ランプ130の後部に位置する反射板140と、前記外部フレーム110の前面に装着され前記蛍光ランプ130による光を透過させ得るように半透明材質からなる表示板120からなる。ここで、前記表示板120の一面には提供しようとする視覚情報が印刷される。
【０００４】
上述したように構成した従来の広告板は、人々が往来する地域の建物や施設物の壁面などに設置されて所定の視覚情報を提供し、必要に応じて前記蛍光ランプ130を作動させて視線誘導効果を高めるようになる。なお、発光体として蛍光ランプの代わりに、ＥＬ板などを使用してもよい（例えば特許文献１参照。）。
【０００５】
しかし、前記した従来の広告板は設置した位置に固定される平面構造であるため、可視範囲がその正面方向に制限され、印刷資料を停止した表示板120に固定的に表示するため、提供される情報が単純して視線誘導効果が低下するという問題点があった。
【特許文献１】特開2000-206915号公報（第２頁）
【発明の開示】
【発明が解決しようとする課題】
【０００６】
したがって、本発明は上述した問題点に鑑みてなされたものであって、その目的とするところは、建築物に既設置された柱などの外周面に設置されて所定の速度で回転することによって、全方向の道行人に同時に情報を伝達でき、道行人の視線誘導を介して広告効果を増進させ得るようにした回転式広告板を提供することである。
【０００７】
また、広告板は既存建築物、または構造物に一時的に設置できるものであるため、設置作業が容易、かつ撤去後にもその跡形を残さないことが重要である。したがって、本発明が目的とするところは、既存建築物の柱などに設置されながらもその柱の表面に加えられる毀損を最小化できる回転式広告板を提供することである。
【０００８】
また、本発明が目的とするところは、回転式広告板の回転には駆動エネルギーが必要であり、そのエネルギーの消耗量は回転体の質量により変わるので、安定した構造と性能を確保しつつ広告物を含む回転体を軽量化することによって、駆動エネルギーの消耗を最小化できるようにした回転式広告板を提供することである。
【課題を解決するための手段】
【０００９】
前記発明の目的を達成するため、本発明に係る回転式広告板は、円筒形柱の下部の外周面をバンド型で取り囲み、上部が、幅が一定の旋盤部をなし、前記柱に固着されて前記旋盤部上の一定の荷重を支持できるようにする支持手段と、前記柱の外周面を一定の厚さと幅とで取り囲む形態からなり、前記旋盤部に固定されて支持され、その外周面に透視窓が形成されたカバーフレームと、前記透視窓の内側に前記柱の外周面と平行するように配置され、広告内容が表示された円筒形の表示板と前記表示板の上・下端部に各々固定されたリング状のレールとを備える回転体と、前記カバーフレームの一側に隣接して備えられ、前記回転体を回転させるための回転力を提供する駆動手段と、前記カバーフレームの内部に備えられ、一端が前記カバーフレームに固定され、前記回転体を回転可能に支持する回転体支持手段と、前記駆動手段から伝達された回転力により前記回転体のレールを回転させる回転手段とを含む。
【００１０】
また、本発明の前記支持手段は、複数個の円弧型支持部材の側端が左右に隣接した他支持部材の側端と互いに結合してバンド型をなし、その結合力により前記柱の外周面に固着される。この場合、前記複数個の円弧型支持部材の内周面の周縁の長さの和が前記柱の外周面の周縁の長さより所定長さほど小さくし、前記支持部材間の側端結合の際にボルトとナットなどの締結手段にて締めつけることにより、前記バンド型支持手段の支持力を高めることができる。
【００１１】
また、前記支持手段は、前記柱と接する面に形成された複数のねじ穴と、前記ねじ穴を通して前記柱に向けて締め付けられる固定ボルトとをさらに備えることができる。この場合、前記ねじ穴及び固定ボルトは、柱の表面のタイルとタイルとの間、または金属表面材と金属表面材との間の継ぎ目部分などのように、前記柱表面に跡形が残らない位置に設けられることが好ましい。柱表面に前記のような続き目がない場合には、前記固定ボルト前端部と柱表面との間に補強部材を挿入して、ボルト前端の圧力が前記補強部材の全体に分散されて伝達されるようにできる。
【００１２】
前記カバーフレームは、円筒形に加工された金属板材から形成されてその内部構造を支持し、前記回転体支持手段を介して前記回転体の荷重を前記支持部材に伝達し、その外周面には透明な樹脂フィルム、または円筒形樹脂パネルから透視窓を形成して、その内側に配置される表示板の広告内容が外部に見せるようにする。
【００１３】
前記表示板は、上・下端に固定された前記レールが回転する時に自体の形状が保持される程度の剛性(rigidity）を有する円筒形樹脂パネルであることが好ましい。前記円筒形樹脂パネルの材料には、ポリカーボネート(PC)、ポリエステル(PET)、ポリエチレン(PE)、またはアクリルなどの多様な樹脂を使用できる。
【００１４】
このように所定の剛性を有する表示板の上・下端にレールを備えることによって、回転体を単純化及び軽量化して前記広告内容の回転に必要なエネルギーを最小化できる。
【００１５】
また、前記広告板の視覚的効果を増大するため、前記回転体の内側に配置され、前記表示板を介して外部に光を放射するための発光手段をさらに備えることが好ましく、この場合、前記表示板は、前記発光手段の光が通過できるように半透明の円筒形樹脂パネルであることが好ましい。
【００１６】
前記駆動手段は、前記駆動手段は、前記カバーフレームの上側、または下側に隣接するように固定される駆動モータと、入力軸が前記駆動モータの回転軸に連結され、出力軸が前記回転手段と連結されて、回転力を減速及び増強させて伝達する減速器とを含む。
【００１７】
前記回転手段は、前記減速器の出力軸と連結されて回転し、摩擦力により前記回転体のレールを回転させる摩擦車と、前記回転体を前記摩擦車側に加圧することにより、前記レールと摩擦車との間に所定の摩擦力が確保されるようにする加圧手段を備えることができる。
【００１８】
前記回転体支持手段は、前記カバーフレームの内部に柱の半径方向に配置され、一端が前記カバーフレームの内周面に固定された複数の支持軸と、前記各支持軸の他端に回転可能に備えられて前記回転体のレールを支持する支持ローラとからなることができる。
【００１９】
すなわち、前記回転体は、そのレールの下部で回転可能に接触されて支持する前記支持ローラにより回転体の荷重が支持され、側面に接触されて回転する摩擦車との摩擦力により回転できる。
【００２０】
但し、前記回転手段は、前記駆動手段の出力軸に連結された歯車と内周面に前記歯車と歯合する歯面が形成されたレールなどで具現でき、前記回転体支持手段は、前記レールを受け入れる溝が形成されたレールガイドと前記レールガイドの溝内で回転できるように下面にローラが備えられたレールなどで具現できる。
【発明の効果】
【００２１】
上術したような本発明によると、伝達しようとする広告内容が表示された表示板が柱の外周面に沿って回転されるので、視線誘導機能が増加し、周辺を往来する道行人に対して同時に全方向に視覚的情報を伝達できるようになって、広告及び情報伝達がより效果的になされるという効果がある。
【００２２】
また、本発明による回転式広告板は、既存建築物の柱などに設置されながらもその柱表面のタイル、または金属表面材などに加えられる毀損を最小化できるという効果がある。
【００２３】
また、回転体を表示板と前記表示板の上、下端部に固定されたレールで単純化及び軽量化して、安定した構造と性能を確保しつつ駆動エネルギーの消耗を最小化できるという効果がある。
【発明を実施するための最良の形態】
【００２４】
以下、本発明の最も好ましい実施例を添付した図面と参照しながら詳細に説明する。
【００２５】
図2は、本発明に係る回転式広告板が柱に設置された形状を示す正面図である。
【００２６】
全体的には既存建築物の柱200の外周面を取り囲む形態で設置される。円筒形柱200の下部の外周面をバンド型で取り囲み、前記柱に固着されてその上の一定の荷重を支持できる支持手段10と、前記柱を一定の厚さと幅で取り囲み、金属などの強板材21から形成され、その外周面に透明な樹脂パネルなどから形成された透視窓22が形成されたカバーフレーム20、及び前記カバーフレーム20の上側に隣接するように固定された駆動手段40とを備える。
【００２７】
前記透視窓22の内側では広告内容が表示された表示板が見え、前記表示板を含む回転体は、前記駆動手段40が提供する回転力により回転することによって、道行人の視線を集中させ、全方向の道行人に広告内容を伝達することができる。
【００２８】
図3は、本発明に係る実施例を示す断面図である。複数個の円弧型支持部材11の側端13が左右に隣接した他支持部材11´の側端13´と互いに結合されてバンド型の支持手段10を形成する。前記複数の支持部材11、11´の各側端13、13´はボルトとナットなどの締結手段14により結合される。
【００２９】
前記支持手段10には、前記柱と接する面に複数のねじ穴が形成されることができ、前記ねじ穴を通して前記柱に向けて締めつけられる固定ボルト15をさらに備えることができる。この場合、前記ねじ穴は、柱200の表面のタイル201とタイル202との間の位置に備えられることが好ましい。
【００３０】
前記支持手段10は、前記柱の外周面から所定の厚さほど突出された旋盤を形成し、その上にカバーフレーム20が設置される。前記カバーフレーム20は、外周面と内周面とが円筒形の金属板材21からなり、その内部に回転体支持手段50などの構造を支持する。その外周面には一定の幅の透明な樹脂フィルム、または円筒形樹脂パネルで透視窓22が形成され、その内側に配置される表示板31の広告内容が外部に見せるようにする。
【００３１】
前記表示板31の上端及び下端には、リング状のレール32が各々固定されて回転体30を形成し、前記回転体30は、前記レール31の下側で支持する回転体支持手段50により前記柱を中心として回転可能に支持される。
【００３２】
前記表示板31は、前記回転体支持手段50による支持力が全体に均等に伝達でき、回転時にもその形状が保持される程度の剛性を有する円筒形の樹脂パネルから形成することが好ましく、内部に配置された発光手段から発生した光が前記表示板に表示された広告内容と共に外部に放射できるように半透明なものがより好ましい。例えば、ポリカーボネート(PC)、またはアクリル樹脂などから形成されることによって、適合した剛性及び光学的特性が得られる。
【００３３】
前記駆動手段40は、前記カバーフレーム20の上側に固定された駆動モータ41と、入力軸が前記前記駆動モータ41の回転軸に連結され出力軸43が回転ローラ61を含む回転手段60と連結されて回転力を減速及び増強させて伝達する減速器42を含む。
【００３４】
図4は、前記図3のA部分を詳細に示す詳細図である。図面に示すように、前記回転体の支持手段50は、柱の半径方向に備えられ、一端が前記カバーフレーム20の内周面に固定された支持軸51と前記支持軸51に回転可能に結合された支持ローラ52とからなり、前記支持ローラ52は、前記回転体30のレール32が周縁方向に回転できるようにする。
【００３５】
前記駆動手段40から回転力を提供されて前記回転体30を回転させるための回転手段60は、前記減速器42の出力軸43にカップリング611を介して連結され、前記回転体30のレール32を周縁方向に回転させる摩擦車61を含む。
【００３６】
また、本実施例における記回転手段60は、前記回転体30を前記摩擦車61側に加圧することによって、前記レール32と摩擦車61との間に所定の摩擦力が確保されるようにする加圧手段を備えることができる。
【００３７】
図5は、本発明の実施例に係る加圧手段を示す上面図及び正面図である。
【００３８】
前記加圧手段620は、前記カバーフレームの内部に前記柱の半径方向に配置され、一端が前記カバーフレームの内周面21に固定され、他端にはスプリング支持端622が形成されたスプリングガイド棒621と、前記スプリングガイド棒621によりガイドされ、一端が前記スプリング支持端622により支持されるスプリング623と、前記スプリング623の他端により前記摩擦車61側に加圧される加圧ローラフレーム624と、前記加圧ローラフレーム624に前記摩擦車の軸と平行した軸を中心として回転可能に結合され、前記回転体のレール32と接触して加圧し回転する加圧ローラ625とを含む。
【００３９】
なお、本発明は、上記の実施例として開示した範囲に限定されるものではない。本発明に係る技術的思想から逸脱しない範囲内で多くの改良、変更が可能であり、それらも本発明の技術的範囲に属する。
【図面の簡単な説明】
【００４０】
【図１】従来の広告板を示す部分切開図である。
【図２】本発明に係る回転式広告板が柱に設置された形状を示す正面図である。
【図３】本発明に係る実施例を示す断面図である。
【図４】前記図3のA部分を詳細に示す詳細図である。
【図５】本発明の実施例に係る加圧手段を示す対面図及び正面図である。
【符号の説明】
【００４１】
10      支持手段
20      カバーフレーム
22      透視窓
30      回転体
31      表示板
32      レール
40      駆動手段
41      駆動モータ
50      回転体支持手段
60      回転手段
61      摩擦車
620      加圧手段
【図１】
2005134530.tif 000003
【図２】
2005134530.tif 000004
【図３】
2005134530.tif 000005
【図４】
2005134530.tif 000006
【図５】
2005134530.tif 000007